(57)【要約】【課題】小売店又はサービス業者におけるポイントや商品在庫や余剰サービス員の削減に寄与できるオークションシステムを提供することにある。【解決手段】主催者サーバ１３は、入力したＩＤとパスワードが正しいことが確認された利用者の通信端末１７に対し、商品に関する入札内容及び入札に必要な入札申し込みポイントが記載されたホームページを送信し、通信端末１７に商品の入札価格の入力を促し、通信端末１７から商品の入札価格を受信し、利用者の購入した商品代金に応じて小売店又はサービス業者が付与したポイント値を記録している業者サーバ１５に対し、所定の入札申し込みポイントの減額を要求し、入札者の中から入札価格の高い順に落札処理を行い、落札時に入札者通知情報を業者サーバ１５に送信し、前記通知情報を受けて業者サーバは通信端末１７に当選通知情報を通知する。【選択図】      図１
2004246817.tif 000002
【特許請求の範囲】
【請求項１】
入札者の通信端末と情報ネットワークを介して接続し、商品又はサービスに関する入札内容をホームページに提示して商品又はサービスのオークションを提供するオークション主催者サーバと、商品又はサービスを提供する業者の業者サーバとを備えたオークションシステムであって、
前記オークション主催者サーバは、
規定の入札申込みポイントを徴収することを表す画面を入札者の通信端末に提示する提示手段と、
入札者の通信端末から商品又はサービスの入札価格を受信する入札価格受信手段と、
入札価格を受信した場合に業者サーバに対してポイント減算要求を発信するポイント減算要求発信手段とを備え、
前記業者サーバは、
当該オークションを利用可能か認証する認証手段と、
前記オークション主催者サーバからの減算要求情報により入札者の残ポイント値から規定の入札申し込みポイントを減算する入札申込みポイント減算手段とを備えることを特徴とするオークションシステム。
【請求項２】
前記認証手段は、
業者が利用者の購入した商品代金又はサービス代金に応じて付与するポイント値の残ポイント値が規定の入札申込みポイントよりも多いかどうかを判断する判断手段を有し、
利用者の残ポイント値が規定の入札申込みポイントよりも多い場合には当該オークションへの参加をオークション主催者サーバに対して許可することを特徴とする請求項１記載のオークションシステム。
【請求項３】
クレジット会社サーバを備え、
前記認証手段は、
業者が利用者の購入した商品代金又はサービス代金に応じて付与するポイント値の残ポイント値が規定の入札申込みポイントよりも多いかどうかを判断する判断手段と、
利用者の与信情報をクレジット会社サーバに対して照会する照会手段とを有し、
利用者の残ポイント値が規定の入札申込みポイントよりも多く、かつ前記クレジット会社サーバから利用者への与信が得られた場合には、当該オークションへの参加をオークション主催者サーバに対して許可することを特徴とする請求項１記載のオークションシステム。
【請求項４】
前記業者サーバは、
当該認証の後に、入札者の残ポイント値を前記オークション主催者サーバに返送する残ポイント値返送手段を有し、
前記オークション主催者サーバは、
前記業者サーバから受信した残ポイント値を入札者の通信端末に提示する残ポイント値提示手段を有することを特徴とする請求項１記載のオークションシステム。
【請求項５】
前記オークション主催者サーバは、
利用者からの入札価格を受信する度に、入札に必要な入札申し込みポイントを算出し記録する入札申し込みポイント算出手段を備えることを特徴とする請求項１記載のオークションシステム。
【発明の詳細な説明】
【０００１】
【発明の属する技術分野】
本発明は、オークションシステムに関し、特に、情報ネットワークを介して商品又はサービスのオークションを行うオークションシステムに関する。
【０００２】
【従来の技術】
近年、情報通信の発展に伴い、例えばインターネットを介して商品又はサービスのオークションが行われるようになってきた。
【０００３】
このような従来のオークションシステムとしては、例えば特許文献１に開示されたものがある。このオークションシステムにおいては、商品情報又はサービス情報及び最低入札価格のみをホームページに提示することで、利用者の入札意欲を向上させ、また、オークション主催者が入札者から入札申込み手数料を徴収することでオークションでの売上げを確保していた。
【０００４】
【特許文献１】
特開２００１−３１２６２３
【０００５】
【発明が解決しようとする課題】
ところで、これまで大手小売店各社は、顧客囲い込みを目的とした「ポイント制度」を導入してきたが、発行済みポイントを会計上「ポイント債務」として計上するような要請が強まった場合、債務の上昇要因になるので、ポイントを効率的に消却する為の方法が求められている。
【０００６】
そこで、小売店各社が顧客に発行した発行済みポイントを削減できるようなオークションシステムの登場が切望されていた。
【０００７】
本発明は、上記に鑑みてなされたもので、その目的としては、各小売店やサービス業者の発行しているポイントをオークションの入札参加料として使用可能にすることで入札者の参加意欲の向上に寄与するとともに、小売店やサービス業者におけるポイントや商品在庫又は余剰サービス員の削減に寄与できるオークションシステムを提供することにある。
【０００８】
【課題を解決するための手段】
請求項１記載の発明は、上記課題を解決するため、入札者の通信端末と情報ネットワークを介して接続し、商品又はサービスに関する入札内容をホームページに提示して商品又はサービスのオークションを提供するオークション主催者サーバと、業者サーバとを備えたオークションシステムであって、前記オークション主催者サーバは、規定の入札申込みポイントを徴収することを表す画面を入札者の通信端末に提示する提示手段と、入札者の通信端末から商品又はサービスの入札価格を受信する入札価格受信手段と、入札価格を受信した場合に業者サーバに対してポイント減算要求を発信するポイント減算要求発信手段とを備え、前記業者サーバは、当該オークションを利用可能か認証する認証手段と、前記オークション主催者サーバからの減算要求情報により入札者の残ポイント値から規定の入札申し込みポイントを減算する入札申込みポイント減算手段とを有することを要旨とする。
【０００９】
請求項２記載の発明は、上記課題を解決するため、前記認証手段は、業者が利用者の購入した商品代金又はサービス代金に応じて付与するポイント値の残ポイント値が規定の入札申込みポイントよりも多いかどうかを判断する判断手段を有し、利用者の残ポイント値が規定の入札申込みポイントよりも多い場合には当該オークションへの参加をオークション主催者サーバに対して許可することを要旨とする。
【００１０】
請求項３記載の発明は、上記課題を解決するため、クレジット会社サーバを備え、前記認証手段は、業者が利用者の購入した商品代金又はサービス代金に応じて付与するポイント値の残ポイント値が規定の入札申込みポイントよりも多いかどうかを判断する判断手段と、利用者の与信情報をクレジット会社サーバに対して照会する照会手段とを有し、利用者の残ポイント値が規定の入札申込みポイントよりも多く、かつ前記クレジット会社サーバから利用者への与信が得られた場合には、当該オークションへの参加をオークション主催者サーバに対して許可することを要旨とする。
【００１１】
請求項４記載の発明は、上記課題を解決するため、前記業者サーバは、当該認証の後に、入札者の残ポイント値を前記オークション主催者サーバに返送する残ポイント値返送手段を有し、前記オークション主催者サーバは、前記業者サーバから受信した残ポイント値を入札者の通信端末に提示する残ポイント値提示手段を有することを要旨とする。
【００１２】
請求項５記載の発明は、前記オークション主催者サーバは、利用者からの入札価格を受信する度に、入札に必要な入札申し込みポイントを算出し記録する入札申し込みポイント算出手段を有することを要旨とする。
【００１３】
【発明の実施の形態】
以下、本発明の実施の形態を図面を参照して説明する。
【００１４】
（第１の実施の形態）
図１は、本発明の第１の実施の形態に係るオークションシステムの構成を示す図である。図１を参照して、本発明の第１の実施の形態に係るオークションシステムの基本構成を説明する。
【００１５】
図１に示すように、インターネット１１には、オークションを主催するオークション主催者サーバ１３（以下、主催者サーバ１３）と、業者サーバ１５と、当該業者のポイントを所有している利用者  が用いる通信端末１７とが接続可能である。
【００１６】
次に、図２を参照してオークション主催者サーバ１３の構成について説明する。
【００１７】
オークション主催者サーバ１３には、インターネット１１を介して複数の通信端末１７や業者サーバ１５との間で情報通信を行う通信処理部１３１、当該サーバを制御するためのＯＳや制御データや管理データベースやホームページのコンテンツなどを記憶するハードディスク１３３、入力内容や制御状態を表示するディスプレイ１３５、文字情報を入力するためのキーボード１３７、内部に日時を計時するためのタイマを有するとともに当該サーバに設けられた各部を制御する制御部１３９から構成されている。
【００１８】
次に、図３を参照してハードディスク１３３上に設けたデータベースの構成について説明する。
【００１９】
ハードディスク１３３上には、当該サーバを制御するためのＯＳや制御データやオークション管理データベースやホームページのコンテンツなどが記録されている。
【００２０】
前記オークション管理データベースには、小売店やサービス業者から提供可能な商品情報又はサービス情報や、商品の品数又はサービスの数、実勢価格に加え、小売店やサービス業者あるいはオークション会社があらかじめ設定した最低入札価格などが記録されている。
【００２１】
業者サーバ１５には、各利用者固有のＩＤごとに、利用者の購入した商品代金又はサービス代金に応じて小売店が付与したポイント値とあらかじめ設定されたパスワードをともに記録している。
【００２２】
なお、通信端末１７や業者サーバ１５は、キーボードやマウスやディスプレイとともに、制御プログラムやデータを記憶するハードディスク、制御プログラムに従って全体を制御するＣＰＵ部から構成されており、また、ネットワークへの接続を行う通信制御部を備えている。
【００２３】
以下、図４に示すシーケンス図などを参照して、オークション主催サーバ１３の動作のうち、入札申し込みポイントとしてポイント値を減算する動作を中心に説明する。なお、シーケンス図はオークション主催サーバ１３に設けられたハードディスク１３３に記録された制御プログラムに従って制御部１３９により実行されるものである。
【００２４】
まず、図４に示すシーケンス図を参照して、主催者サーバ１３の動作を中心に説明する。なお、図４に示すシーケンス図は主催者サーバ１３に設けられたハードディスク１３３に記憶された制御プログラムに従って制御部１３９により動作するものである。また、上述したように本発明では、商品又はサービスに関するオークションについて扱っているが、説明を単純化するため商品についてのみ説明することとする。
【００２５】
いま、シーケンスＳ５において、利用者の使用している通信端末１７（以下通信端末１７）が業者サーバ１５にアクセスし、業者サーバ１５に記憶されているホームページが閲覧されたこととする。この結果、通信端末１７には図５に示すような画面（表示画面２１）が表示される。
【００２６】
そこで、利用者が「オークションを見る」のアイコン３１を選択した場合、通信端末１７から主催者サーバ１３へのアクセスが実行される。
【００２７】
すると、主催者サーバ１３は利用者からのアクセス実行に応じて、あらかじめ記憶されているホームページの情報をハードディスク１３３から読み出し通信端末１７に送信する。この結果、通信端末１７には図６に示すようなオークションのログイン画面（表示画面２１）が表示される。
【００２８】
ここで、シーケンスＳ１０において、利用者の操作によりＩＤ入力エリア３３に所定のＩＤが入力され、パスワード入力エリア３５に所定のパスワードが入力され、「ログイン」アイコン７１がクリックされた場合、オークション主催者サーバに対し登録情報が送信される。
【００２９】
そして、シーケンスＳ２０において、主催者サーバ１３は前記登録情報を業者サーバ１５に送信する。
【００３０】
次に、シーケンスＳ３０において、業者サーバは前記登録情報を受信し、業者サーバ内に設けられたデータベースに記録されているＩＤとパスワードの対が正しいものであるかどうかを検証する。そして、ＩＤとパスワードが正しいことが確認できた場合、利用者の購入した商品代金に応じて小売店が付与したポイント値の残が入札申し込みポイントより大きいかどうか比較を行い、残ポイント値が入札申し込みポイント以上だった場合には、業者サーバ１５は主催者サーバ１３に対して、残ポイント値を付加した利用可能情報を送信する。
【００３１】
次に、シーケンスＳ４０において、主催者サーバ１３は、前記残ポイント値を付加した利用可能情報を受信した後に、あらかじめ記憶されているホームページの情報をハードディスク１３３から読み出して通信端末１７に送信する。この結果、通信端末１７には図７に示すようなオークションのトップ画面（表示画面２１）が表示される。この結果、図７に示すように、複数の商品項目とともに、利用者が利用可能な残ポイント値が表示され、利用者に入札を促すことができる。
【００３２】
そこで、利用者  が「コンピュータ」のアイコン４１を選択した場合、選択表示ボタン４３の表示色が反転して当該アイコンが選択されたことが示され、図８に示す次の表示画面２１に移行する。図８には、「コンピュータ」に関する商品項目が表示されている。そこで、「ハードウェア」のアイコン４５が選択された場合、選択表示ボタン４７の表示色が反転し、図８に示す次の表示画面２１に移行する。図９には、「ハードウェア」に関する商品項目が表示されている。そこで、「デスクトップサーバ」のアイコン４９がクリックされた場合、選択表示ボタン５１の表示色が反転し、図１０に示す次の表示画面２１に移行する。
【００３３】
図１０には、「デスクトップサーバ」に関する各製造メーカの製品Ａ〜Ｄに対して、定価、限定数、入札申込み手数料、最低入札価格などが表示される。そこで、「デスクトップサーバ」のアイコン６１がクリックされた場合、選択表示ボタン６３の表示色が反転し、図１１に示す次の表示画面２１に移行する。
【００３４】
図１１には、「デスクトップサーバ」の商品Ａに関する写真、商品説明、商品紹介、販売店のアフターサービス等の情報に加え、当該商品の定価、最低入札価格、１回の入札申込ポイント、限定数等の情報が表示されている。
【００３５】
ここで、「今すぐ入札」のアイコン７１がクリックされた場合、選択表示ボタン７３の表示色が反転し、図１２に示す次の表示画面２１に移行する。
【００３６】
図１１には、当該オークションの利用規約テキストが表示されており、利用者が順次に読み進むと、「承諾する」，「しない」のアイコンが表示される。ここで、「承諾する」のアイコン５３がクリックされた場合、選択表示ボタン５５の表示色が反転し、図１２に示す次の表示画面２１に移行する。
【００３７】
図１２には、利用者  が選択した「デスクトップサーバ」の商品Ａに関する写真、当該商品の定価、最低入札価格、１回の入札申込み手数料、限定数等の情報に加え、パスワード入力エリア３５、入札価格入力エリア７５、支払方法として「一括」エリアと「分割」エリア、「実行」アイコン８１が表示されている。また、図１２に示すように、商品Ａの定価などとともに、利用者が利用可能な残ポイント値が表示され、さらに、利用者に入札を促すことができる。
【００３８】
そこで、シーケンスＳ５０において、利用者  の操作によりパスワード入力エリア３５に所定のパスワードが入力され、引き続き、入札価格入力エリア７５に入札価格が入力され、さらに、支払方法として「一括」又は「分割」が選択されて「実行」アイコン８１がクリックされた場合、主催者サーバ１３に対し入札申し込み情報が送信されるとともに、選択表示ボタン８３の表示色が反転し、図１３に示す次の表示画面２１に移行する。
【００３９】
なお、商品に対する同一入札者から例えば３回数までの入札の受付を許可することとする。
【００４０】
また、入札者に商品の入札価格の入力を促す場合、「同一金額の落札者が複数いる場合、入札時間の早い順に落札する」ことを表示するようにしてもよい。
【００４１】
次に、シーケンスＳ６０において、主催者サーバ１３は、前記申し込み情報を受信すると、入札承認要求情報を通信端末に対し送信され、図１３に示すように、表示画面２１に利用者のＩＤ、商品Ａの入札価格、入札申し込みポイント、支払方法等に加え、「確認」アイコン９３が表示される。また、入札者の現在のポイント残高が表示画面２１に表示されるので、残ポイント値と入札申込手数料とを比較確認することができ、次回の入札時に有効利用することができる。
【００４２】
すると、シーケンスＳ７０において、前記表示画面２１は利用者  により視認され、「確認」アイコン９１がクリックされた場合、選択表示ボタン９３の表示色が反転するとともに、主催者サーバ１３に対し入札承諾情報が送信され、図１４に示す次の表示画面２１に移行する。図１４に示すように、表示画面２１には、入札申込みが完了したことを表す謝礼テキストが表示され、今回の入札の終了を促す。
【００４３】
ここで、通信端末１７から入札申込み情報を受信した主催者サーバ１３は、この利用者  からの入札申込み情報をデータベースに記憶した後に、業者サーバに対してポイントの減額を要求する。その額は、入札回数ｎと入札申込みポイントＴから入札申し込みポイントの総額Ｎを求めると、
【数１】
Ｎ＝ｎ＊Ｔ
となる。
【００４４】
ここで、シーケンスＳ９０において、主催者サーバ１３は、開催期間が経過した商品の入札価格をハードディスク１３３に設けられたオークション管理データベースから読み出し、入札価格の中から上位の入札価格をあらかじめ設定された品数分だけを落札価格として選択し、同時に、入札した複数の利用者のＩＤと価格、該当する商品のＩＤを前記データベースから読み出し、業者サーバに対し当選者通知情報として通知する。なお、同一金額の落札者が複数いる場合、入札時間の早い順に落札することとする。
【００４５】
次に、シーケンスＳ１００において、主催者サーバ１３は、この当選者通知情報に記録されているそれぞれの利用者のメールアドレスに対して、落札した商品、支払方法、支払金額などが記載された当選通知情報を送信する。例えば、図１５のような画面を作成しておきこれを通信端末に表示させることが考えられる。
【００４６】
最後に、利用者が配送先や支払方法の確認を所定の手順に従って最終的な確認手続きを行う。例えば、図１５における「確認」ボタン９５が押される事をもって確認が行われたとする事などが考えられる。利用者の確認を受けて小売店あるいはオークション主催者は落札された商品を配送する。
【００４７】
本発明の実施の形態に関する効果としては、小売店が利用者に付与したポイントをオークションで使用可能にすることで、ユーザがオークションに入札し易くすることで、小売店が発行した後に未使用のままになっている残ポイントの早期の消費を促すことができる。
【００４８】
また、一定以上の残ポイント値を持つ利用者に対して利用を許可することで、一定金額以上の商品を該小売店で購入した利用者に対してオークションの参加を認めることができ、より効率的に残ポイント値の消費を促すことができるようになる。
【００４９】
（第２の実施の形態）
図１６は、本発明の第２の実施の形態に係るオークションシステムの構成を示す図である。オークション主催サーバ１３や業者サーバ１５、通信端末１７は第１の実施の形態において用いた図１に示すものと同様であり、オークション主催サーバ１３の基本構成は第１の実施の形態において用いた図２に示すものと同様であり、ハードディスク１３３に設けられたオークション管理データベースは図３のものと同様であるためその説明を省略する。また、第２の実施の形態では、図１７に示すシーケンス図を用いることとする。
【００５０】
まず、図１６を参照して、本発明の第２の実施の形態に係るオークションシステムの基本構成を説明する。
【００５１】
図１６に示すように、インターネット１１には、オークションを主催者するオークション主催者サーバ１３（以下、主催者サーバ１３）と、業者サーバ１５と、当該小売店のポイントを所有している利用者が用いる通信端末１７、クレジット会社サーバ１９とが接続可能である。
【００５２】
クレジット会社サーバ１９には、発行済みのクレジットカードの認証に必要なデータ及び各利用者に関しての信用情報が記録されており、業者サーバ１５からの認証要求を受け付けることができる。
【００５３】
なお、クレジット会社サーバ１９は、キーボードやマウスやディスプレイとともに、制御プログラムやデータを記憶するハードディスク部、制御プログラムに従って全体を制御する制御部から構成されており、また、ネットワークへの物理的な接続方法は問わない。
【００５４】
本実施の形態における特徴は、図１７に示すシーケンス図のシーケンスＳ２０とシーケンスＳ３０の間に、シーケンスＳ２１０及びシーケンスＳ２２０を挿入したことにある。
【００５５】
利用者がオークションにログインする際に、クレジットカードに関する与信照会に必要なデータ（例えばカード番号など）を利用者に入力させるようにしておき、シーケンスＳ１０で送信する登録情報として、クレジットカードの番号を含める事とする。
【００５６】
そして、主催者サーバ１３から登録情報を受信した業者サーバ１５は、シーケンスＳ２１０において、クレジット会社サーバ１９に対して該利用者の与信を照会する与信照会要求情報を送信する。
【００５７】
次に、シーケンスＳ２２０において、クレジット会社サーバは該利用者の信用情報を照会した結果を業者サーバ１５に対し送信する。
【００５８】
本発明の実施の形態に関する効果としては、自社で信用情報の照会が可能かつクレジット機能を持つカードを発行可能な大規模小売店でない場合など、残ポイント値の蓄積に目的を絞ったカードを発行している小売店であっても、オークションシステムにおいて残ポイント値の消費を促すことができる。
【００５９】
また、利用者の希望に応じて、クレジット機能のあるカードとクレジット機能の無いポイントカードの二種類を発行している小売店においても、どちらのカードを所持している顧客に対してもオークションの機会を与えることが可能になるため、広範な利用者に対して残ポイント値の利用を促進することができる。
【００６０】
また、小売店が独自に発行しているクレジットカード以外の利用者の任意のクレジットカードが支払可能となるため、よりユーザの利便を図ることが可能になり、より強力に残ポイント値の消費を促進することができる。
【００６１】
【発明の効果】
請求項１記載の本発明によれば、小売店又はサービス業者が利用者に付与したポイントをオークションで使用可能にすることで、ユーザがオークションに入札し易くすることで、小売店又はサービス業者が発行した後に未使用のままになっている残ポイント値の早期の消費を促すことができる。
【００６２】
また、請求項２記載の本発明によれば、一定以上の残ポイント値を持つ利用者に対して利用を許可することで、一定の金額以上の商品又はサービスを該小売店又はサービス業者で購入した利用者に対してオークションの参加を認めることができるため、より効率的に残ポイント値の消費を促すことが可能になる。
【００６３】
また、請求項３記載の本発明によれば、自社で信用情報の照会が可能かつクレジット機能を持つカードを発行可能な大規模小売店又はサービス業者でない場合など、残ポイント値の蓄積に目的を絞ったカードを発行している小売店又はサービス業者であっても、オークションシステムにおいて残ポイント値の消費を促すことができる。
【００６４】
また、利用者の希望に応じて、クレジット機能のあるカードとクレジット機能の無いカードの二種類を発行している小売店又はサービス業者においても、どちらのカードを所持している顧客に対してもオークションの機会の提示が可能になるため、広範な利用者に対して残ポイント値の利用を促進することができる。
【００６５】
また、小売店又はサービス業者が独自に発行しているクレジットカード以外の利用者の任意のクレジットカードが支払可能となるため、よりユーザの利便を図ることが可能になり、より強力に残ポイント値の消費を促進することができる。
【００６６】
また、請求項４記載の本発明によれば、当該認証の後に、入札者の残ポイント値を業者サーバからオークション主催者サーバに返送し、オークション主催者サーバが、この残ポイント値を入札者の通信端末に提示するので、利用者に入札を促すことができる。
【００６７】
さらに、請求項５記載の本発明によれば、オークション主催者はオークションにより消費された残ポイント値を算出し、小売店又はサービス業者との取引の際にこれを所定の比率で使用することができる。
【図面の簡単な説明】
【図１】本発明の第１の実施の形態に係るオークションシステムの構成を示す図である。
【図２】オークション主催サーバ１３の構成を説明するためのブロック図である。
【図３】ハードディスクＨＤＤ１３３に設けられているオークション管理ＤＢの構成を示す図である。
【図４】第１の実施の形態におけるオークションシステムの動作を説明するためのシーケンス図である。
【図５】小売店のホームページのトップ画面を示す図である。
【図６】オークションのログイン画面を示す図である。
【図７】オークションのトップ画面を示す図である。
【図８】「コンピュータ」に関する商品項目を示す図である。
【図９】「ハードウェア」に関する説明内容を示す図である。
【図１０】「デスクトップサーバ」に関する各製造メーカの商品Ａ〜Ｄを示す図である。
【図１１】「デスクトップサーバ」の商品Ａに関する説明内容を示す図である。
【図１２】商品Ａに対する入札価格や支払方法の入力を促す表示例を示す図である。
【図１３】商品Ａに対する入札の確認を促す表示例を示す図である。
【図１４】入札の終了を表す表示例を示す図である。
【図１５】当選者通知情報の表示例を示す図である。
【図１６】本発明の第２実施の形態に係るオークションシステムの構成を示す図である。
【図１７】第２の実施の形態におけるオークションシステムの動作を説明するためのシーケンス図である。
【符号の説明】
１１  インターネット
１３  オークション主催サーバ
１５  業者サーバ
１７  通信端末
１９  クレジット会社サーバ
１３１  通信処理部
１３３  ハードディスク
１３５  ディスプレイ
１３７  キーボード
１３９  制御部
【図１】
2004246817.tif 000003
【図２】
2004246817.tif 000004
【図３】
2004246817.tif 000005
【図４】
2004246817.tif 000006
【図５】
2004246817.tif 000007
【図６】
2004246817.tif 000008
【図７】
2004246817.tif 000009
【図８】
2004246817.tif 000010
【図９】
2004246817.tif 000011
【図１０】
2004246817.tif 000012
【図１１】
2004246817.tif 000013
【図１２】
2004246817.tif 000014
【図１３】
2004246817.tif 000015
【図１４】
2004246817.tif 000016
【図１５】
2004246817.tif 000017
【図１６】
2004246817.tif 000018
【図１７】
2004246817.tif 000019